(57)【要約】【課題】人体や携行品などの装飾の対象物となる被着体に粘着力で貼付いて使用され、宝飾部品を手作業で貼付けて作成される装飾具において、量産を容易にする。【解決手段】粘着シート１１に下に重ねた下書き（レシピ）４が透けて見えるような透明な物を用いる一方、意匠性を向上するために、枠取り（１２４）や個別の文字（１２３）を描いて、所望の意匠を構成する模様シート１２を、粘着シート１１の表面の一部に貼付けるようにし、その少なくとも一部の模様１２１と下書き４に描かれた基準模様４１とを一致するように重ねて、下書き４の配置（レイアウト）４２に沿って、宝飾部品１３の粘着シート１１の表面への搭載作業を行う。したがって、同じ物を容易に多数作成することができる。また、下書きを、粘着シート１１や、保護シート１５に印刷しておく必要はなく、コストの安い透明な（無地の）物を使用することができる。【選択図】図３
2019084032.tif 000002
【特許請求の範囲】
【請求項１】
装飾の対象物となる被着体に、粘着力で貼付いて使用される装飾具において、
透明で、裏面が前記被着体に貼付く粘着シートと、
前記粘着シートの表面の一部に貼付けられる模様シートと、
前記粘着シートの表面において、前記模様シートに覆われていない少なくとも一部の領域に搭載される宝飾部品とを含み、
位置の基準となる基準模様が予め描かれた下書きに対して、前記粘着シートの裏面が保護シートに覆われた状態で、前記模様シートの少なくとも一部の模様と前記基準模様とが一致するように該粘着シートが被せられ、該粘着シートの表面に搭載される前記宝飾部品は、前記下書きの配置に沿って搭載されることを特徴とする装飾具。
【請求項２】
前記粘着シートは、前記模様シートおよび宝飾部品を、その表面に貼付けるために、両面粘着シートから成ることを特徴とする請求項１記載の装飾具。
【請求項３】
前記粘着シートにおいて、前記模様シートおよび宝飾部品が貼付けられていない領域に散布される装飾用の粉体をさらに備えることを特徴とする請求項２記載の装飾具。
【請求項４】
前記模様シートは、熱圧着のシート材から成り、パーソナルコンピュータ連動のカッターで切出されることを特徴とする請求項２または３記載の装飾具。
【請求項５】
前記粘着シートは、
前記透明な基材と、
前記基材の裏面に塗布されるガラス転移温度粘着剤と、
前記基材の表面に塗布されるアクリル系粘着剤とを有し、
前記裏面が前記被着体に貼付く粘着性ゲルフィルムから成ることを特徴とする請求項２〜４の何れか１項に記載の装飾具。
【請求項６】
前記基材は、５０μｍのＰＥＴフィルムから成ることを特徴とする請求項５記載の装飾具。
【請求項７】
前記アクリル系粘着剤は、７５〜１００μｍの厚さであることを特徴とする請求項１〜６の何れか１項に記載の装飾具。
【請求項８】
装飾の対象物となる被着体に、粘着力で貼付いて使用される装飾具の作成方法において、
透明で、裏面が前記被着体に貼付く粘着シートに対して、該粘着シートの表面の一部に模様シートを貼付ける工程と、
位置の基準となる基準模様が予め描かれた下書きに対して、前記粘着シートの裏面が保護シートに覆われた状態で、前記模様シートの少なくとも一部の模様と前記基準模様とが一致するように該粘着シートを重ね合わせる工程と、
前記粘着シートの表面において、前記模様シートに覆われていない少なくとも一部の領域に、前記下書きにさらに描かれている配置に沿って、前記宝飾部品を搭載する工程とを含むことを特徴とする装飾具の作成方法。
【発明の詳細な説明】
【技術分野】
【０００１】
本発明は、人体自体や、その携行品、たとえばスマートフォンなどの装飾の対象物となる被着体に粘着力で貼付いて使用される装飾具およびその作成方法に関する。
【背景技術】
【０００２】
上述のような装飾具は、特許文献１や特許文献２で示されている。それらの先行技術は、両面粘着シートの表面（デコレーション面）に、模造宝石や反射ガラス材等の人造の輝石や、真珠などの宝飾部品を搭載したものであり、特に裏面を人体への適合性を有する粘着性ゲルフィルムとすることで、人肌に貼付けられるようにしている。
【先行技術文献】
【特許文献】
【０００３】
【特許文献１】特開２０１５−１９２７２３号公報
【特許文献１】特開２０１３−３１０６０９号公報
【発明の概要】
【発明が解決しようとする課題】
【０００４】
上述の従来技術は、新規な装飾具（デコレーション）を提供するものであるが、また、貼って剥がすことも可能であるが、前記宝飾部品の搭載は手作業になるので、事実上、オーダーメードになったり、同じ物を多数作成することに、工夫されていない。
【０００５】
本発明の目的は、多くの人に楽しんでもらうことができる装飾具およびその作成方法を提供することである。
【課題を解決するための手段】
【０００６】
本発明の装飾具は、装飾の対象物となる被着体に、粘着力で貼付いて使用される装飾具において、透明で、裏面が前記被着体に貼付く粘着シートと、前記粘着シートの表面の一部に貼付けられる模様シートと、前記粘着シートの表面において、前記模様シートに覆われていない少なくとも一部の領域に搭載される宝飾部品とを含み、位置の基準となる基準模様が予め描かれた下書きに対して、前記粘着シートの裏面が保護シートに覆われた状態で、前記模様シートの少なくとも一部の模様と前記基準模様とが一致するように該粘着シートが被せられ、該粘着シートの表面に搭載される前記宝飾部品は、前記下書きの配置に沿って搭載されることを特徴とする。
【０００７】
また、本発明の装飾具の作成方法は、装飾の対象物となる被着体に、粘着力で貼付いて使用される装飾具の作成方法において、透明で、裏面が前記被着体に貼付く粘着シートに対して、前記粘着シートの表面の一部に模様シートを貼付ける工程と、位置の基準となる基準模様が予め描かれた下書きに対して、前記粘着シートの裏面が保護シートに覆われた状態で、前記模様シートの少なくとも一部の模様と前記基準模様とが一致するように該粘着シートを重ね合わせる工程と、前記粘着シートの表面において、前記模様シートに覆われていない少なくとも一部の領域に、前記下書きにさらに描かれている配置に沿って、前記宝飾部品を搭載する工程とを含むことを特徴とする。
【０００８】
上記の構成によれば、人体自体や、スマートフォン等の携行品などの装飾の対象物となる被着体に、粘着力で、好ましくは着脱自在に貼付いて使用される装飾具において、粘着シートの表面（デコレーション面）に、模造宝石や反射ガラス材等の人造の輝石や、真珠などの宝飾部品を、機械ではなく、人手で貼付けて該装飾具を作成するにあたって、裏面が前記被着体に貼付くことができるその粘着シートに、該粘着シートの裏面が保護シートに覆われた（くっつかない）状態で、下に重ねた、前記宝飾部品の配置を示した下書き（レシピ）が透けて見えるような、透明な物を用いる。なお、その透明とは、色が付いていてもよく、裏面が透けて見えればよい。
【０００９】
一方、前記宝飾部品以外に、該装飾具の意匠性を向上するために、枠取りや個別の文字を描いたりして、所望の意匠を構成する模様シートを、前記粘着シートの表面の一部に貼付けるようにし、前記宝飾部品は、この模様シートに覆われていない少なくとも一部の領域に搭載されるようにする。そこで、この模様シートの少なくとも一部の模様を利用して、前記下書き（レシピ）には位置の基準となる基準模様を予め描いておき、前記粘着シートを前記下書き（レシピ）に被せる際、前記模様シートの少なくとも一部の模様と前記基準模様とが一致するようにして、前記粘着シートと下書き（レシピ）との位置合わせを行って重ね合わせ、以降は、この下書き（レシピ）の配置（レイアウト）に沿って、前記宝飾部品の前記粘着シートの表面への搭載作業が行われる。
【００１０】
したがって、宝飾部品を、機械（たとえばコンピュータ制御のロボット）ではなく、手作業で貼付けて装飾具を作成するにあたって、その宝飾部品を正確に配置（レイアウト）するための下書き（レシピ）を使用することで、同じ物を容易に多数作成することができ、多くの人に楽しんでもらうことができる。また、その下書き（レシピ）を、粘着シートや、その保護シートに印刷しておく必要はなく、それらには、配置（レイアウト）に係わりなく、毎回、コストの安い透明な（無地の）物を使用することができる。さらにまた、配置（レイアウト）の変更や修正も、最小限で１枚の下書き（レシピ）を変更するだけでよく、多品種少量生産にも容易に対応することができる。このような装飾具は、スタイリングなジュエリーを実現し、デコレーション商品として、作成する作家側および使用するユーザ側にとって、デコレーション業界の新しい素材となり得る。
【００１１】
また、本発明の装飾具では、前記粘着シートは、前記模様シートおよび宝飾部品を、その表面に貼付けるために、両面粘着シートから成ることを特徴とする。
【００１２】
上記の構成によれば、粘着シートの表面（デコレーション面）にも接着剤を使用しないことで、該表面には宝飾部品を置いて、押え付けるだけでくっ付けることができる。
【００１３】
したがって、前記下書き（レシピ）も併せて販売することで、子供や年配者、或いは初心者でも、簡単かつ手軽に、デコレーション制作およびデコレーション装飾を楽しむことができるようになる。また、下書き（レシピ）における宝飾部品の使用数を或る程度揃えておくことで、下書き（レシピ）だけ複数準備するだけで、利用者が好みの宝飾部品の配置（レイアウト）を選択することもできる。
【００１４】
さらにまた、本発明の装飾具では、前記粘着シートにおいて、前記模様シートおよび宝飾部品が貼付けられていない領域に散布される装飾用の粉体をさらに備えることを特徴とする。
【００１５】
上記の構成によれば、前記粘着シートにおいて、前記模様シートおよび宝飾部品が貼付けられていない領域を、キラキラ輝く金属や貝殻の粉などの前記装飾用の粉体を散布して、埋めておく。
【００１６】
したがって、装飾性を向上することができるとともに、所謂糊殺しを行うことができ、前記粘着シートの表面（デコレーション面）が不所望にくっ付いたりすることが無く、特に前記子供や年配者、或いは初心者でも、安心して使用することができる。
【００１７】
また、本発明の装飾具では、前記模様シートは、熱圧着のシート材から成り、パーソナルコンピュータ連動のカッターで切出されることを特徴とする。
【００１８】
上記の構成によれば、熱圧着のシート材は、裏面に剥離フィルムを有し、この剥離フィルムをベースとして、熱圧着のシート材の本体をカッターで切出すことが可能になる。また、熱圧着の糊成分で、粘着シートが両面粘着シートであると、その表面（デコレーション面）に、熱を加えなくても、相乗効果で強固に貼付けることができる。さらにまた、カッターがパーソナルコンピュータ連動であると、模様シートの意匠を、パーソナルコンピュータで容易に作成することができる。
【００１９】
さらにまた、本発明の装飾具では、前記粘着シートは、前記透明な基材と、前記基材の裏面に塗布されるガラス転移温度粘着剤と、前記基材の表面に塗布されるアクリル系粘着剤とを有し、前記裏面が前記被着体に貼付く粘着性ゲルフィルムから成ることを特徴とする。
【００２０】
上記の構成によれば、粘着シートの裏面に接着剤を使用せず、ガラス転移温度（ＴＧ）粘着剤を使用することで、該装飾具が被着体に着脱自在となるとともに、剥がした際の糊残りも無い。
【００２１】
したがって、被着体のデコレーション（該装飾具）が、貼って剥がして、また貼れるようになり、気軽に着せ替えできるようになるとともに、試しに貼ってみることもでき、多くの人に楽しんでもらえるようになる。
【００２２】
また、本発明の装飾具では、前記基材は、５０μｍのＰＥＴフィルムから成ることを特徴とする。
【００２３】
上記の構成によれば、透明で、基材が破断し難く、綺麗に剥がすことができるとともに、曲面や角部にも貼り易い柔軟性を備える。
【００２４】
さらにまた、本発明の装飾具では、前記アクリル系粘着剤は、７５〜１００μｍの厚さであることを特徴とする。
【００２５】
上記の構成によれば、前記模様シート、宝飾部品、装飾用の粉体を、強固に貼付けることができる。特に、厚さにより、宝飾部品の底部が埋まり込んで固定される。
【発明の効果】
【００２６】
本発明の装飾具およびその作成方法は、以上のように、人体自体や携行品などの装飾の対象物となる被着体に粘着力で貼付いて使用される装飾具において、粘着シートの表面に宝飾部品を人手で貼付けて該装飾具を作成するにあたって、裏面が前記被着体に貼付くことができるその粘着シートに、該粘着シートの裏面が保護シートに覆われた状態で、下に重ねた下書き（レシピ）が透けて見えるような透明な物を用いる一方、意匠性を向上するために、枠取りや個別の文字を描いたりして、所望の意匠を構成する模様シートを、前記粘着シートの表面の一部に貼付けるようにし、その模様シートの少なくとも一部の模様と下書き（レシピ）に描かれた基準模様とを一致するように重ねて、前記下書き（レシピ）の配置（レイアウト）に沿って、前記宝飾部品の前記粘着シートの表面への搭載作業を行うようにする。
【００２７】
それゆえ、宝飾部品を手作業で貼付けて装飾具を作成するにあたって、その宝飾部品を正確に配置（レイアウト）するための下書き（レシピ）を使用することで、同じ物を容易に多数作成することができ、多くの人に楽しんでもらうことができる。また、その下書き（レシピ）を、粘着シートや、その保護シートに印刷しておく必要はなく、それらには、配置（レイアウト）に係わりなく、毎回、コストの安い透明な（無地の）物を使用することができる。さらにまた、配置（レイアウト）の変更や修正も、最小限で１枚の下書き（レシピ）を変更するだけでよく、多品種少量生産にも容易に対応することができる。
【図面の簡単な説明】
【００２８】
【図１】本発明の実施の一形態に係る装飾具の使用状態を示す斜視図である。
【図２】前記装飾具を拡大して示す斜視図である。
【図３】前記装飾具を拡大して示す分解斜視図である。
【図４】前記装飾具の作成工程の一部を示す斜視図である。
【図５】前記装飾具の作成工程を示す斜視図であり、模様シートの切出しの様子を模式的に示す図である。
【図６】前記装飾具の作成工程を示す斜視図であり、模様シートの前処理の様子を示す図である。
【図７】前記装飾具の作成工程を示す斜視図であり、粉体の散布の様子を示す図である。
【図８】粘着シートの一例の断面図である。
【発明を実施するための形態】
【００２９】
図１は、本発明の実施の一形態に係る装飾具１ａ，１ｂ，１ｃ，１ｄ，１ｅ，１ｆ（以下、総称する際は、参照符号１で示す）の使用状態を示す斜視図である。本実施形態の装飾具１は、装飾の対象物となる被着体２，３に、粘着力で貼付いて使用される装飾具である。図１の例では、被着体２はバッグであり、被着体３はスマートフォンのカバーである。これら以外にも、後述する粘着材を選択することで、たとえば人体などにも貼付け可能である。
【００３０】
図２は装飾具１ａを拡大して示す斜視図であり、図３は分解斜視図である。他の装飾具１ｂ，１ｃ，１ｄ，１ｅ，１ｆは、この装飾具１ａと、意匠が異なるだけで、構造は同様であり、図２では、代表して装飾具１ａを示している。装飾具１ａは、粘着シート１１と、模様シート１２と、宝飾部品１３と、粉体１４とを備えて構成される。
【００３１】
粘着シート１１は、透明で、裏面が前記被着体２，３に貼付く両面粘着シートである。したがって、その表面（デコレーション面）および裏面は、透明な保護シート１５でカバーされている。なお、表面の保護シートは、これらの図１および図２の模様シート１２などを搭載する前に、剥がされることになり、図示していない。前記の透明とは、色が付いていてもよく、裏面が透けて見えればよい。
【００３２】
模様シート１２は、粘着シート１１の表面（デコレーション面）の一部に貼付けられる。また、粘着シート１１の表面において、前記模様シート１２に覆われていない少なくとも一部の領域に、宝飾部品１３が搭載される。宝飾部品１３は、模造宝石や反射ガラス材等の人造の輝石や、真珠などから成る。さらにまた、粘着シート１１において、模様シート１２および宝飾部品１３が貼付けられていない領域には、装飾用の粉体１４が散布されている。前記粉体１４は、キラキラ輝く金属や貝殻の粉などから成る。
【００３３】
図４〜図７は、装飾具１の作成工程を詳しく示す斜視図である。先ず、本実施形態の装飾具１の作成には、図３で示す下書き４が準備される。この下書き４には、基準模様４１および宝飾部品１３の配置位置４２が予め描かれている。基準模様４１は、後述するようにして粘着シート１１の表面に貼付けられた模様シート１２との位置合せの基準となるもので、少なくとも一部の模様１２１に対応している。この下書き４は、後に詳述するように、装飾具１が完成品で販売される場合は、メーカ側で使用されて、ユーザ側には不要であるが、キット品で販売される場合は、ユーザ側での作成の際に必要となり、商品に同包される。
【００３４】
本実施形態では、図４で示すように、模様シート１２は、大きなシート材の本体１２０から、複数枚が纏めて切出される。好ましくは、模様シート１２（本体１２０）は、熱圧着のシート材から成る。その場合、本体１２０は、裏面に剥離フィルム１２２を有し、この剥離フィルム１２２をベースとして、該本体１２０をカッターで切出すことが可能になる。その切出しは、図５で示すように、パーソナルコンピュータ５に連動したカッター６で行うことができる。そのような熱圧着のシート材には、アイロンで熱圧着可能な、アイロンプリント素材のシートを用いることができ、前記カッター６には、たとえばユーロポート社製のシルエットカメオを用いることができる。こうして、カッター６がパーソナルコンピュータ５の連動であると、模様シート１２の意匠を、パーソナルコンピュータ５で容易に作成することができる。
【００３５】
模様シート１２（本体１２０）には、前記の模様１２１の他に、他の模様（図２〜図４の例では文字）１２３や、装飾具１の輪郭１２４が、適宜描かれている。それらがカッター６で切出された模様シート１２（本体１２０）からは、図６で拡大して示すように、不要部分１２５がピンセット等で取り除かれた後、図４で示すように、粘着シート１１に貼付けられる。なお、図６は、模様１２１や輪郭１２４については装飾具１と同様であるが、他の模様１２３が異なる装飾具１ｄの意匠を例示している。
【００３６】
そして、該装飾具１が前述のように完成品で販売される場合は、不要部分１２５が取り除かれた図４のような複数枚分の装飾具１の模様シート１２（本体１２０）が粘着シート１１に纏めて貼り合わせられた後、輪郭１２４部分で切出される。これに対して、該装飾具１がキット品で販売される場合は、１枚分の装飾具１の模様シート１２（本体１２０）および粘着シート１１に分割されて販売され、図６のように、ユーザ側で不要部分１２５が取り除かれた後、模様シート１２（本体１２０）が粘着シート１１に貼り合わせられた後、輪郭１２４部分で外形が整えられる。
【００３７】
模様シート１２（本体１２０）は、接着剤で粘着シート１１に貼付けられてもよいが、上述のように、粘着シート１１が両面粘着シートである場合、接着剤を模様１２１，１２３や輪郭１２４部分に塗布する手間が省け、貼付けが容易である。なお、接着剤を用いる場合、図４のシート状の模様シート１２にローラーなどで接着剤を塗布した後、不要部分１２５をピンセット等で取り除くことで、不要部分１２５に着いた接着剤は無駄になるが、接着剤の塗布作業を容易に行うことができる。一方、模様シート１２（本体１２０）が上述のように熱圧着のシート材から成り、粘着シート１１が両面粘着シートである場合には、粘着シート１１の表面（デコレーション面）の保護シートを剥がし、押えるだけで、熱圧着の糊成分と粘着シート１１の粘着成分との相乗効果で、熱を加えなくても、強固に貼付けることができる。
【００３８】
こうして、模様シート１２（本体１２０）が粘着シート１１に貼付けられ、輪郭１２４が切出されると、図３や図４で示すように、保護シート１５が着いた粘着シート１１が、下書き４に、その基準模様４１が少なくとも一部の模様１２１に一致するように、被せられる。前記の配置位置４２には、参照符号１３１，１３２で示す宝飾部品１３の大きさに対応した配置位置４２１，４２２が、それぞれ示されている。配置位置４２は、搭載すべき宝飾部品１３の種類や大きさに応じて、色やハッチングなどで、区分されていてもよい。その後、図３で示すように、配置位置４２１，４２２の上の粘着シート１１の表面（デコレーション面）に、宝飾部品１３１，１３２が搭載されてゆく。宝飾部品１３１，１３２は、接着剤で貼付けられてもよいが、粘着シート１１が強粘着の両面粘着シートである場合、載せて押えるだけで、貼付けることができる。
【００３９】
その後、両面粘着シートから成る粘着シート１１の表面（デコレーション面）において、模様シート１２および宝飾部品１３が貼付けられていない領域に、図７で示すように、チューブ８などから、粉体１４が散布される。散布の後、押えることで粘着シート１１の粘着力で該粉体１４は固定される。余った粉体１４は、刷毛や風を当てて飛ばしたり、ひっくり返してたたき落としたりして、除去することができる。図７では、粘着シート１１をひっくり返して、たたき落とすことで、余剰となった粉体１４を回収するために、粘着シート１１は、トレイ９に入れた状態で、粉体１４が散布されている。
【００４０】
以上のように、本実施形態の装飾具１およびその作成方法では、人体自体や、スマートフォン等の携行品などの装飾の対象物となる被着体２，３に、粘着力で、好ましくは着脱自在に貼付いて使用される装飾具１において、その装飾具１を、粘着シート１１の表面（デコレーション面）に、宝飾部品１３を、機械ではなく、人手で貼付けて作成するにあたって、該装飾具１が、意匠性を向上するために、前記宝飾部品１３以外に、枠取り（１２４）や個別の文字（１２３）を描いて所望の意匠を構成する模様シート１２を被せる場合に、以下のように構成する。
【００４１】
すなわち、裏面が被着体２，３に貼付くことができるその粘着シート１１に、該粘着シートの裏面が保護シート１５に覆われた（くっつかない）状態で、下に重ねた、宝飾部品１３の配置位置４２を示した下書き（レシピ）４が透けて見えるような、透明な物を用いる。そして、図４で示すように、粘着シート１１に対して、その表面の一部に模様シート１２を貼付けた後、この模様シート１２の少なくとも一部の模様１２１を利用して、図３で示すように、前記下書き４の基準模様４１に、該一部の模様１２１が一致するように、下書き４に粘着シート１１を重ね合わせる。その後、粘着シート１１の表面において、模様シート１２に覆われていない少なくとも一部の領域に、下書き４に描かれている配置位置（レイアウト）４２に沿って、宝飾部品１３を搭載する。
【００４２】
したがって、宝飾部品１３を、機械（たとえばコンピュータ制御のロボット）ではなく、手作業で貼付けて装飾具１を作成するにあたって、その宝飾部品１３を正確に配置（レイアウト）するための下書き（レシピ）４を使用することで、同じ物を容易に多数作成することができ、多くの人に楽しんでもらうことができる。また、その下書き（レシピ）４を、粘着シート１１や、その保護シート１５に印刷しておく必要はなく、それらには、配置（レイアウト）に係わりなく、毎回、コストの安い透明な（無地の）物を使用することができる。さらにまた、配置（レイアウト）の変更や修正も、最小限で１枚の下書き（レシピ）４を変更するだけでよく、多品種少量生産にも容易に対応することができる。このような装飾具１は、スタイリングなジュエリーを実現し、デコレーション商品として、作成する作家側および使用するユーザ側にとって、デコレーション業界の新しい素材となり得る。
【００４３】
また、本実施形態の装飾具１では、下書き（レシピ）４を用いるので、たとえばバラエティーショップなどの該装飾具１を実際に販売する会社に対して、メーカー（製造元、出荷元）は、下書き（レシピ）４だけをサンプルとして出荷し、採否の判定などに利用することができる。つまり、粘着シート１１、模様シート１２、宝飾部品１３および粉体１４などが同じ材料で、実際に装飾具１の作成迄至らなくても、下書き（レシピ）４の段階で、顧客の希望による変更や改良を加えたりすることができ、効率的である。
【００４４】
また、本実施形態の装飾具１では、粘着シート１１には、その表面（デコレーション面）に、模様シート１２および宝飾部品１３を貼付けるにあたって、両面粘着シートを用いる。これによって、接着剤を使用しなくてもよく、粘着シート１１の表面に宝飾部品１３を置いて、押え付けるだけでくっ付けることができる。したがって、下書き（レシピ）４も併せて販売することで、子供や年配者、或いは初心者でも、簡単かつ手軽に、デコレーション制作およびデコレーション装飾を楽しむことができるようになる。また、下書き４における宝飾部品１３の使用数を或る程度揃えておくことで、下書き４だけ複数準備するだけで、利用者が好みの宝飾部品１３の配置（レイアウト）を選択することもできる。
【００４５】
さらにまた、本実施形態の装飾具１では、両面粘着シートから成る粘着シート１１の表面（デコレーション面）において、模様シート１２および宝飾部品１３が貼付けられていない領域に、図７および図３で示すように、粉体１４を散布して、埋めておく。したがって、装飾性を向上することができるとともに、所謂糊殺しを行うことができ、前記粘着シート１１の表面が不所望にくっ付いたりすることが無く、特に前記子供や年配者、或いは初心者でも、安心して使用することができる。
【００４６】
ここで、図８に、粘着シート１１の一例の断面を示す。この図８の粘着シート１１は、上述の両面粘着シートであり、異粘着のガラス転移温度（ＴＧ）粘着材シートと称されるものである。その異粘着のために、この図８の粘着シート１１は、裏面側は、被着体２，３と剥離・再貼付け自在なガラス転移温度粘着材層１７で実現され、表面側は、強粘着で宝飾部品１３等を強固に固着するアクリル系粘着材層１８で実現され、それらの間にＰＥＴフィルムから成る基材１９が介在されている。
【００４７】
ガラス転移温度粘着材層１７は、基材１９の裏面側に、ガラス転移温度（ＴＧ）粘着剤が塗布されて形成され、アクリル系粘着材層１８は、基材１９の表面側に、アクリル系粘着剤が塗布されて形成される。そして、未使用状態では、表面および裏面には、剥離紙である保護シート１６，１５が、それぞれ貼付けられており、アクリル系粘着材層１８、ガラス転移温度粘着材層１７および保護シート１５は、前述の通り、通して透明である。
【００４８】
このように粘着シート１１を、透明な基材１９と、基材１９の裏面に塗布されて形成されるガラス転移温度粘着材層１７と、表面に塗布されて形成されるアクリル系粘着材層１８とを有し、裏面が被着体２，３に貼付く粘着性ゲルフィルムから成ることで、該粘着シート１１の裏面に接着剤を使用せず、ガラス転移温度（ＴＧ）粘着剤で被着体２，３に着脱自在となるとともに、剥がした際の糊残りも無くすことができる。これによって、被着体２，３のデコレーション（該装飾具）が、貼って剥がして、また貼れるようになり、気軽に着せ替えできるようになるとともに、試しに貼ってみることもでき、多くの人に楽しんでもらえるようになる。
【００４９】
また、基材１９は、５０μｍのＰＥＴフィルムから成ることで、透明で、破断し難く、綺麗に剥がすことができるとともに、曲面や角部にも貼り易い柔軟性を備え、装飾具１ｆのように、それらの部分にまで回り込んで貼付けられるようになる。さらにまた、アクリル系粘着材層１８は、７５〜１００μｍに形成されるので、模様シート１２、宝飾部品１３、装飾用の粉体１４を、強固に貼付けることができる。特に、厚さにより、宝飾部品１３の底部が埋まり込んで固定される。
【符号の説明】
【００５０】
１；１ａ，１ｂ，１ｃ，１ｄ，１ｅ，１ｆ    装飾具
１１    粘着シート
１２    模様シート
１２０  本体
１２１  一部の模様
１２２  剥離フィルム
１２３  他の模様
１２４  輪郭
１２５  不要部分
１３；１３１，１３２    宝飾部品
１４    粉体
１５，１６    保護シート
１７    ガラス転移温度粘着剤層
１８    アクリル系粘着剤層
１９    基材
２，３    被着体
４    下書き（レシピ）
４１    基準模様
４２；４２１，４２２    配置位置
５    パーソナルコンピュータ
６    カッター
８    チューブ
９    トレイ
【図１】
2019084032.tif 000003
【図２】
2019084032.tif 000004
【図３】
2019084032.tif 000005
【図４】
2019084032.tif 000006
【図５】
2019084032.tif 000007
【図６】
2019084032.tif 000008
【図７】
2019084032.tif 000009
【図８】
2019084032.tif 000010